(57)【要約】【課題】隣接する信号による妨害を容易に低減する。【解決手段】第２の増幅システム４は、第１の増幅器２０、分配器２２、第２の増幅ユニット４２−１〜４２−５、混合器２６、第２の増幅器２８および基準周波信号発生器４０から構成される。第２の増幅ユニット４２−１〜４２−５それぞれは、分配器２２から入力された信号を共通の基準周波信号に同期して、互いに同期するようにそれぞれ任意のチャネルの信号に周波数変換するので、ＢＰＦ２４８の周波数特性が緩やかな場合にも、混合器２６から出力するそれぞれのチャネルの信号が隣接するチャネルの信号によって妨害されることを低減する。【選択図】          図６
2005039426.tif 000002
【特許請求の範囲】
【請求項１】
周波数が異なる複数の伝送信号を増幅する複数の増幅ユニットと、
基準周波信号を生成する基準信号生成手段と
を有し、
前記増幅ユニットそれぞれは、
前記基準周波信号に同期して、周波数が異なる伝送信号のいずれか
を増幅する増幅システム。
【請求項２】
前記増幅ユニットそれぞれは、
前記基準周波信号に同期して、周波数が異なる第１の帯域の伝送信号のいずれかを第２の帯域の伝送信号に周波数変換する第１の周波数変換手段と、
前記第２の帯域の伝送信号から所望の周波数の伝送信号を抽出するフィルタと、
前記フィルタによって抽出された伝送信号を増幅する増幅手段と
を有する
請求項１に記載の増幅システム。
【請求項３】
前記増幅ユニットそれぞれは、
前記増幅手段が増幅した伝送信号を前記基準周波信号に同期して第３の帯域の伝送信号に周波数変換する第２の周波数変換手段
をさらに有する
請求項１または２に記載の増幅システム。
【発明の詳細な説明】
【０００１】
【発明の属する技術分野】
本発明は、周波数が異なる複数の伝送信号を増幅する増幅システムに関する。
【０００２】
【従来の技術】
例えば、特許文献１は、隣接チャネルによる妨害を回避する地上デジタル放送のチューナを開示する。
しかしながら、隣接チャネルの信号を減衰させるために、急峻な特性のフィルタが必要になること、および、回路が複雑になることがある。
【０００３】
【特許文献１】特開２００３−６１００２号公報
【０００４】
【発明が解決しようとする課題】
本発明は、上述した従来技術の問題点に鑑みてなされたものであり、周波数が異なる複数の伝送信号を容易に増幅することができる増幅システムを提供することを目的とする。
【０００５】
【課題を解決するための手段】
上記目的を達成するために、本発明にかかる増幅システムは、周波数が異なる複数の伝送信号を増幅する複数の増幅ユニットと、基準周波信号を生成する基準信号生成手段とを有し、前記増幅ユニットそれぞれは、前記基準周波信号に同期して、周波数が異なる伝送信号のいずれかを増幅する。
【０００６】
好適には、前記増幅ユニットそれぞれは、前記基準周波信号に同期して、周波数が異なる第１の帯域の伝送信号のいずれかを第２の帯域の伝送信号に周波数変換する第１の周波数変換手段と、前記第２の帯域の伝送信号から所望の周波数の伝送信号を抽出するフィルタと、前記フィルタによって抽出された伝送信号を増幅する増幅手段とを有する。
【０００７】
また、好適には、前記増幅ユニットそれぞれは、前記増幅手段が増幅した伝送信号を前記基準周波信号に同期して第３の帯域の伝送信号に周波数変換する第２の周波数変換手段をさらに有する。
【０００８】
【発明の実施の形態】
［本発明の背景］
本発明の理解を助けるために、まず、本発明がなされるに至った背景を説明する。
【０００９】
［地上デジタル放送受信システム１］
図１は、本発明の背景の説明のために例示する地上デジタル放送受信システム１の構成を示す図である。
図１に示すように、地上デジタル放送受信システム１は、例えば、地上デジタル放送を共聴する大規模ビル内共同受信システム（ＣＡＴＶシステム）などであり、受信点設備１０、ヘッドエンド設備１２およびデジタルテレビ１４−１〜１４−１２などから構成される。
【００１０】
受信点設備１０は、例えば、ＶＨＦ帯の放送波を受信する第１のアンテナ１００、ＵＨＦ帯の放送波を受信する第２のアンテナ１０２、および、ＢＳ（Ｂｒｏａｄｃａｓｔｉｎｇ  Ｓａｔｅｌｌｉｔｅｓ）および１１０度ＣＳ（Ｃｏｍｍｕｎｉｃａｔｉｏｎ  Ｓａｔｅｌｌｉｔｅｓ）からの放送波を受信する第３のアンテナ１０４から構成される。
【００１１】
地上デジタル放送受信システム１は、受信点設備１０により地上デジタル放送などの信号を受信し、増幅システム２などを含むヘッドエンド設備１２などにより、ビル内分配器（図示せず）などを介してデジタルテレビ１４−１〜１４−１２に対して出力する。
以下、デジタルテレビ１４−１〜１４−１２など複数ある構成部分のいずれかを特定せずに示す場合には、単に「デジタルテレビ１４」などと略記することがある。
【００１２】
［第１の増幅システム２］
図２は、図１に示した第１の増幅システム２の構成を示す図である。
図２に示すように、第１の増幅システム２は、例えば、第１の増幅器２０、分配器２２、第１の増幅ユニット２４−１〜２４−５、混合器２６および第２の増幅器２８から構成される。
【００１３】
第１の増幅器２０は、受信点設備１０によって受信される信号を受入れて増幅し、分配器２２に対して出力する。
分配器２２は、第１の増幅器２０から入力される信号を分配し、第１の増幅ユニット２４−１〜２４−５それぞれに対して出力する。
【００１４】
［第１の増幅ユニット２４］
図３は、第１の増幅ユニット２４の構成を示す図である。
図３に示すように、第１の増幅ユニット２４は、第１の帯域通過フィルタ（ＢＰＦ）２４０、第１の内部増幅器２４２、第１の混合器２４４、第１の可変増幅器２４６、第２の帯域通過フィルタ（ＢＰＦ）２４８、第２の可変増幅器２５０、自動利得制御部（ＡＧＣ）２５２、第２の混合器２５４、第２の内部増幅器２５６、第３の帯域通過フィルタ（ＢＰＦ）２５８、第１の局部発振器３０および第２の局部発振器３２から構成される。
【００１５】
ＢＰＦ２４０は、分配器２２から入力される信号から所望のチャネルを含む帯域の信号を抽出し、第１の内部増幅器２４２に対して出力する。
つまり、ＢＰＦ２４０が出力する信号は、受信点設備１０によって受信された帯域の信号から所望のチャネルを含む帯域の信号が抽出されるので、所望のチャネルに隣接するチャネルの信号の成分も含まれている。
【００１６】
第１の内部増幅器２４２は、ＢＰＦ２４０から入力される信号を増幅し、第１の混合器２４４に対して出力する。
【００１７】
第１の混合器２４４は、第１の内部増幅器２４２から入力される信号、および、後述する第１の局部発振器３０から入力される局部発振周波信号ｆ１を受け入れて混合することにより、所望のチャネルを含む信号を中間周波数の信号に周波数変換し、第１の可変増幅器２４６に対して出力する。
【００１８】
第１の局部発振器３０は、ＰＬＬ３００などを含み、第１の混合器２４４が所望のチャネルを含む信号を中間周波数の信号に周波数変換することができるように、振幅が一定の局部発振周波信号ｆ１を生成し、第１の混合器２４４に対して出力する。
【００１９】
第１の可変増幅器２４６は、後述するＡＧＣ２５２から受入れる制御信号に基づいて、第１の混合器２４４から入力される信号を増幅し、ＢＰＦ２４８に対して出力する。
【００２０】
ＢＰＦ２４８は、第１の可変増幅器２４６から入力される信号に対し、所望のチャネルに隣接するチャネルの信号などのレベルを低減し、所望のチャネルの信号を抽出して第２の可変増幅器２５０に対して出力する。
【００２１】
第２の可変増幅器２５０は、後述するＡＧＣ２５２から受入れる制御信号に基づいて、ＢＰＦ２４８から入力される信号を増幅し、第２の混合器２５４およびＡＧＣ２５２に対して出力する。
【００２２】
ＡＧＣ２５２は、第２の可変増幅器２５０から入力される信号を受入れ、分配器２２から第１の増幅ユニット２４に入力される信号のレベルが変動しても、第１の増幅ユニット２４から混合器２６に対して出力される信号のレベルが所定のレベルになるように、制御信号を第１の可変増幅器２４６および第２の可変増幅器２５０に対して出力する。
【００２３】
第２の混合器２５４は、第２の可変増幅器２５０から入力される信号、および、後述する第２の局部発振器３２から入力される局部発振周波信号ｆ２を受け入れて混合することにより、所望のチャネルの信号を任意のチャネルの信号に周波数変換し、第２の内部増幅器２５６に対して出力する。
【００２４】
第２の局部発振器３２は、ＰＬＬ３２０などを含み、第２の混合器２５４が所望のチャネルの信号を任意のチャネルの信号に周波数変換することができるように、振幅が一定の局部発振周波信号ｆ２を生成し、第２の混合器２５４に対して出力する。
つまり、第２の内部増幅器２５６に対して出力される信号は、第２の局部発振器３２が生成する局部発振周波信号ｆ２に同期して周波数が調整されている。
【００２５】
第２の内部増幅器２５６は、第２の混合器２５４から入力される信号を増幅し、ＢＰＦ２５８に対して出力する。
【００２６】
ＢＰＦ２５８は、第２の内部増幅器２５６から入力される信号に対し、任意のチャネル以外の信号のレベルを低減し、任意のチャネルの信号を抽出して混合器２６に対して出力する。
【００２７】
混合器２６（図２）は、第１の増幅ユニット２４−１〜２４−５それぞれから入力された信号を混合し、第２の増幅器２８に対して出力する。
第２の増幅器２８は、混合器２６から入力された信号を、ビル内分配器（図示せず）などを介してデジタルテレビ１４−１〜１４−１２に対して出力する。
【００２８】
［第１の増幅システム２が適用される地上デジタル放送受信システム１の全体動作］
以下、第１の増幅システム２が適用される地上デジタル放送受信システム１（図１）の全体動作について説明する。
【００２９】
受信点設備１０は、地上デジタル放送を含む放送波を受信し、ヘッドエンド設備１２の第１の増幅システム２に対して出力する。
第１の増幅システム２（図１，図２）において、分配器２２は、受信点設備１０から第１の増幅器２０を介して受入れた信号を第１の増幅ユニット２４−１〜２４−５（図２，図３）それぞれに対して出力する。
【００３０】
第１の増幅ユニット２４−１〜２４−５（図３）は、分配器２２から入力された信号から、それぞれ所望のチャネルの信号を抽出し、所定のレベルまで増幅して、任意のチャネルの信号に変換し、混合器２６（図２）に対して出力する。
【００３１】
図４は、第１の増幅ユニット２４が出力する信号を模式的に示す図である。
図４に示すように、第１の増幅ユニット２４は、ＢＰＦ２４８などのフィルタの周波数特性が緩やかな場合、地上デジタル放送の１つのチャネルの信号Ｄを、該チャネルの周波数範囲に出力するとともに、上側隣接チャネルの周波数範囲および下側隣接チャネルの周波数範囲に該チャネルの信号の成分Ｕを出力する。
【００３２】
第１の増幅システム２の混合器２６（図２）は、第１の増幅ユニット２４−１〜２４−５それぞれから入力された信号を混合し、第２の増幅器２８に対して出力する。
【００３３】
図５は、第１の増幅システム２が出力する信号を模式的に例示する図であって、（Ａ）は、隣接して伝送される複数のチャネル（▲２▼ｃｈ，▲３▼ｃｈ，▲４▼ｃｈ）の信号を示す図であり、（Ｂ）は、第１の増幅ユニット２４−２が出力する信号であり、（Ｃ）は、第１の増幅ユニット２４−３が出力する信号であり、（Ｄ）は、第１の増幅ユニット２４−４が出力する信号であり、（Ｅ）は、混合器２６が出力する信号を示す図である。
【００３４】
図５（Ａ）に示すように、地上デジタル放送の各チャネルの信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）信号であり、それぞれのチャネルの信号が隣接して伝送される。
【００３５】
図５（Ｂ）に示すように、第１の増幅システム２において、第１の増幅ユニット２４−２は、▲２▼ｃｈの信号を混合器２６に対して出力する際に、▲２▼ｃｈの信号を▲２▼ｃｈの周波数範囲に出力するとともに、上側隣接チャネルの周波数範囲および下側隣接チャネルの周波数範囲に▲２▼ｃｈの信号の成分を出力する。
図５（Ｃ）に示すように、第１の増幅システム２において、第１の増幅ユニット２４−３は、▲３▼ｃｈの信号を混合器２６に対して出力する際に、▲３▼ｃｈの信号を▲３▼ｃｈの周波数範囲に出力するとともに、上側隣接チャネルの周波数範囲および下側隣接チャネルの周波数範囲に▲３▼ｃｈの信号の成分を出力する。
図５（Ｄ）に示すように、第１の増幅システム２において、第１の増幅ユニット２４−４は、▲４▼ｃｈの信号を混合器２６に対して出力する際に、▲４▼ｃｈの信号を▲４▼ｃｈの周波数範囲に出力するとともに、上側隣接チャネルの周波数範囲および下側隣接チャネルの周波数範囲に▲４▼ｃｈの信号の成分を出力する。
【００３６】
図５（Ｅ）に示すように、第１の増幅システム２において、混合器２６が出力する信号には、それぞれのチャネルの周波数範囲に隣接するチャネルの信号の成分が合成されている。
つまり、第１の増幅ユニット２４−２〜２４−４がそれぞれの第２の局部発振器３２の局部発振周波信号ｆ２に同期して、それぞれのチャネルに対する複数のキャリアの周波数を調整しているので、第１の増幅システム２の混合器２６が出力する信号は、それぞれのチャネルの複数のキャリアに対し、隣接するチャネルの直交しないキャリアが合成されている。
よって、それぞれのチャネルにおいて、隣接するチャネルの信号が妨害波となっている。
なお、図５においては、隣接して伝送されるチャネルの信号が３つの場合について例示したが、第１の増幅ユニット２４−１〜２４−５それぞれによって隣接する信号が増幅される場合においても同様に、隣接するチャネルの信号が妨害波となって伝送される。
【００３７】
第１の増幅システム２の第２の増幅器２８（図２）は、混合器２６から入力された信号を、ビル内分配器（図示せず）などを介してデジタルテレビ１４−１〜１４−１２に対して出力する。
【００３８】
このように、増幅システム２などを含むヘッドエンド設備１２は、隣接するチャネルの信号が妨害波となっている地上デジタル放送をデジタルテレビ１４−１〜１４−１２に対して出力することがある。
【００３９】
［実施形態］
以下、本発明の実施形態を説明する。
【００４０】
［第２の増幅システム４］
図６は、本発明にかかる第２の増幅システム４（図１）の構成を示す図である。
図６に示すように、第２の増幅システム４は、第１の増幅器２０、分配器２２、第２の増幅ユニット４２−１〜４２−５、混合器２６、第２の増幅器２８および基準周波信号発生器４０から構成される。
第２の増幅システム４は、ヘッドエンド設備１２（図１）内に設けられ、地上デジタル放送受信システム１を構成する。
なお、図６においては、第２の増幅システム４の構成部分の内、第１の増幅システム２の構成部分と実質的に同じものには、同じ符号が付されている。
【００４１】
［基準周波信号発生器４０］
基準周波信号発生器４０は、第２の増幅ユニット４２−１〜４２−５が、それぞれ所望のチャネルの信号を受信して増幅し、任意のチャネルの信号に変換して出力することができるように、振幅が一定の基準周波信号を生成し、第２の増幅ユニット４２−１〜４２−５それぞれの第３の局部発振器４４および第４の局部発振器４６（図７を用いて後述）に対して出力する。
【００４２】
［第２の増幅ユニット４２］
図７は、第２の増幅ユニット４２の構成を示す図である。
図７に示すように、第２の増幅ユニット４２は、第１の帯域通過フィルタ（ＢＰＦ）２４０、第１の内部増幅器２４２、第１の混合器２４４、第１の可変増幅器２４６、第２の帯域通過フィルタ（ＢＰＦ）２４８、第２の可変増幅器２５０、自動利得制御部（ＡＧＣ）２５２、第２の混合器２５４、第２の内部増幅器２５６、第３の帯域通過フィルタ（ＢＰＦ）２５８、第３の局部発振器４４および第４の局部発振器４６から構成される。
なお、図７においては、第２の増幅ユニット４２の構成部分の内、第１の増幅ユニット２４（図３）の構成部分と実質的に同じものには、同じ符号が付されている。
つまり、第２の増幅ユニット４２は、図３に示した第１の増幅ユニット２４の第１の局部発振器３０および第２の局部発振器３２を、第３の局部発振器４４および第２の局部発振器４６に置換した構成をとる。
【００４３】
第２の増幅ユニット４２において、第１の混合器２４４は、第１の内部増幅器２４２から入力される信号、および、後述する第３の局部発振器４４から入力される局部発振周波信号ｆ３を受け入れて混合することにより、所望のチャネルを含む信号を中間周波数の信号に周波数変換し、第１の可変増幅器２４６に対して出力する。
【００４４】
第３の局部発振器４４は、ＰＬＬ３００などを含み、基準周波信号発生器４０から受け入れる基準周波信号に同期して、第１の混合器２４４が所望のチャネルを含む信号を中間周波数の信号に周波数変換することができるように、振幅が一定の局部発振周波信号ｆ３を生成し、第１の混合器２４４に対して出力する。
【００４５】
第２の混合器２５４は、第２の可変増幅器２５０から入力される信号、および、後述する第４の局部発振器４６から入力される局部発振周波信号ｆ３’を受け入れて混合することにより、所望のチャネルの信号を任意のチャネルの信号に周波数変換し、第２の内部増幅器２５６に対して出力する。
【００４６】
第４の局部発振器４６は、ＰＬＬ３２０などを含み、基準周波信号発生器４０から受け入れる基準周波信号に同期して、第２の混合器２５４が所望のチャネルの信号を任意のチャネルの信号に周波数変換することができるように、振幅が一定の局部発振周波信号ｆ３’を生成し、第２の混合器２５４に対して出力する。
つまり、第２の内部増幅器２５６に対して出力される信号は、第４の局部発振器４６が生成する局部発振周波信号ｆ３’に同期して周波数が調整されている。
【００４７】
［第２の増幅システム４が適用される地上デジタル放送受信システム１の全体動作］
以下、第２の増幅システム４が適用される地上デジタル放送受信システム１（図１）の全体動作について説明する。
【００４８】
受信点設備１０は、地上デジタル放送を含む放送波を受信し、ヘッドエンド設備１２の第２の増幅システム４に対して出力する。
第２の増幅システム４（図１，図６）において、分配器２２は、受信点設備１０から第１の増幅器２０を介して受入れた信号を第２の増幅ユニット４２−１〜４２−５（図６，図７）それぞれに対して出力する。
【００４９】
基準周波信号発生器４０は、第２の増幅ユニット４２−１〜４２−５が、それぞれ所望のチャネルの信号を受信して増幅し、任意のチャネルの信号に変換して出力することができるように、振幅が一定の基準周波信号を生成し、第２の増幅ユニット４２−１〜４２−５それぞれに対して出力する。
【００５０】
第２の増幅ユニット４２−１〜４２−５（図７）は、基準周波信号発生器４０から受け入れた基準周波信号に同期して、分配器２２から入力された信号から、それぞれ所望のチャネルの信号を抽出し、所定のレベルまで増幅して、さらに、基準周波信号発生器４０から受け入れた基準周波信号に同期して、任意のチャネルの信号に変換し、混合器２６（図６）に対して出力する。
【００５１】
図８は、第２の増幅システム４が出力する信号を模式的に示す図であって、（Ａ）は、隣接して伝送される複数のチャネル（▲１▼ｃｈ〜▲５▼ｃｈ）の信号を示す図であり、（Ｂ）は、第２の増幅ユニット４２−１が出力する信号であり、（Ｃ）は、第２の増幅ユニット４２−２が出力する信号であり、（Ｄ）は、第２の増幅ユニット４２−３が出力する信号であり、（Ｅ）は、第２の増幅ユニット４２−４が出力する信号であり、（Ｆ）は、第２の増幅ユニット４２−５が出力する信号であり、（Ｇ）は、第２の増幅システム４の混合器２６が出力する信号を示す図である。
【００５２】
図８（Ａ）に示すように、地上デジタル放送の各チャネル（▲１▼ｃｈ〜▲５▼ｃｈ）の信号は、ＯＦＤＭ信号であり、それぞれのチャネルの信号が隣接して伝送される。
【００５３】
図８（Ｂ）に示すように、第２の増幅システム４において、第２の増幅ユニット４２−１は、▲１▼ｃｈの信号を混合器２６に対して出力する際に、▲１▼ｃｈの信号を▲１▼ｃｈの周波数範囲に出力するとともに、上側隣接チャネルの周波数範囲および下側の周波数範囲に▲１▼ｃｈの信号の成分を出力する。
図８（Ｂ）において、第２の増幅ユニット４２−１が上側隣接チャネルおよび下側の周波数範囲に出力する▲１▼ｃｈの信号の成分は、上述したように第４の局部発振器４６が生成する局部発振周波信号ｆ３’に同期して周波数が調整されている。
【００５４】
図８（Ｃ）に示すように、第２の増幅システム４において、第２の増幅ユニット４２−２は、▲２▼ｃｈの信号を混合器２６に対して出力する際に、▲２▼ｃｈの信号を▲２▼ｃｈの周波数範囲に出力するとともに、上側隣接チャネルの周波数範囲および下側隣接チャネルの周波数範囲に▲２▼ｃｈの信号の成分を出力する。
図８（Ｃ）において、第２の増幅ユニット４２−２が上側隣接チャネルおよび下側隣接チャネルの周波数範囲に出力する▲２▼ｃｈの信号の成分は、上述したように第４の局部発振器４６が生成する局部発振周波信号ｆ３’に同期して周波数が調整されている。
【００５５】
図８（Ｄ）に示すように、第２の増幅システム４において、第２の増幅ユニット４２−３は、▲３▼ｃｈの信号を混合器２６に対して出力する際に、▲３▼ｃｈの信号を▲３▼ｃｈの周波数範囲に出力するとともに、上側隣接チャネルの周波数範囲および下側隣接チャネルの周波数範囲に▲３▼ｃｈの信号の成分を出力する。
図８（Ｄ）において、第２の増幅ユニット４２−３が上側隣接チャネルおよび下側隣接チャネルの周波数範囲に出力する▲３▼ｃｈの信号の成分は、上述したように第４の局部発振器４６が生成する局部発振周波信号ｆ３’に同期して周波数が調整されている。
【００５６】
図８（Ｅ）に示すように、第２の増幅システム４において、第２の増幅ユニット４２−４は、▲４▼ｃｈの信号を混合器２６に対して出力する際に、▲４▼ｃｈの信号を▲４▼ｃｈの周波数範囲に出力するとともに、上側隣接チャネルの周波数範囲および下側隣接チャネルの周波数範囲に▲４▼ｃｈの信号の成分を出力する。
図８（Ｅ）において、第２の増幅ユニット４２−４が上側隣接チャネルおよび下側隣接チャネルの周波数範囲に出力する▲４▼ｃｈの信号の成分は、上述したように第４の局部発振器４６が生成する局部発振周波信号ｆ３’に同期して周波数が調整されている。
【００５７】
図８（Ｆ）に示すように、第２の増幅システム４において、第２の増幅ユニット４２−５は、▲５▼ｃｈの信号を混合器２６に対して出力する際に、▲５▼ｃｈの信号を▲５▼ｃｈの周波数範囲に出力するとともに、下側隣接チャネルの周波数範囲および上側の周波数範囲に▲５▼ｃｈの信号の成分を出力する。
図８（Ｆ）において、第２の増幅ユニット４２−５が下側隣接チャネルおよび上側の周波数範囲に出力する▲５▼ｃｈの信号の成分は、上述したように第４の局部発振器４６が生成する局部発振周波信号ｆ３’に同期して周波数が調整されている。
【００５８】
図８（Ｇ）に示すように、第２の増幅システム４において、混合器２６が出力する信号には、それぞれのチャネルの周波数範囲に隣接するチャネルの信号の成分が合成されている。
一方、第２の増幅ユニット４２−１〜４２−５から混合器２６に対して出力されるそれぞれのチャネルの信号は、それぞれ基準周波信号発生器４０の基準周波信号に同期しているので、互いに周波数間隔を維持されている。
また、第２の増幅ユニット４２−１〜４２−５それぞれが基準周波信号発生器４０から入力される基準周波信号に同期して、それぞれのチャネルに対する複数のキャリアの周波数を調整しているので、第２の増幅システム４の混合器２６が出力する信号は、それぞれのチャネルの複数のキャリアに対し、隣接するチャネルの複数のキャリアが直交関係を有している。
【００５９】
つまり、第２の増幅ユニット４２−１〜４２−５それぞれは、分配器２２から入力された信号を共通の基準周波信号に同期して、互いに同期するようにそれぞれ任意のチャネルの信号に周波数変換するので、ＢＰＦ２４８の周波数特性が緩やかな場合にも、混合器２６から出力するそれぞれのチャネルの信号が隣接するチャネルの信号によって妨害されることを低減する。
【００６０】
第２の増幅システム４の第２の増幅器２８（図６）は、混合器２６から入力された信号を、ビル内分配器（図示せず）などを介してデジタルテレビ１４−１〜１４−１２に対して出力する。
【００６１】
このように、増幅システム４などを含むヘッドエンド設備１２は、隣接するチャネルの信号が妨害波となることを低減し、地上デジタル放送をデジタルテレビ１４−１〜１４−１２に対して出力することができる。
また、それぞれのチャネルの信号は、ガードインターバル時間内の遅延信号に対してもキャリアの直交関係が維持されているので、容易に妨害を低減することができる。
【００６２】
［変形例］
以下、本発明の実施形態の変形例について説明する。
【００６３】
［第３の増幅システム５］
図９は、本発明にかかる第３の増幅システム５（図１）の構成を示す図である。
図９に示すように、第２の増幅システム４は、第１の増幅器２０、分配器２２、第２の増幅ユニット４２−２〜４２−４、第３の増幅ユニット５０−１，５０−２、混合器２６、第２の増幅器２８および基準周波信号発生器４０から構成される。
第３の増幅システム５は、ヘッドエンド設備１２（図１）内に設けられ、地上デジタル放送受信システム１を構成する。
なお、図９においては、第３の増幅システム５の構成部分の内、第１の増幅システム２または第２の増幅システム４の構成部分と実質的に同じものには、同じ符号が付されている。
【００６４】
［第３の増幅ユニット５０］
図１０は、第３の増幅ユニット５０の構成を示す図である。
図１０に示すように、第３の増幅ユニット５０は、第１の帯域通過フィルタ（ＢＰＦ）２４０、第１の内部増幅器２４２、第１の混合器２４４、第１の可変増幅器２４６、第４の帯域通過フィルタ（ＢＰＦ）５００、第２の可変増幅器２５０、自動利得制御部（ＡＧＣ）２５２、第２の混合器２５４、第２の内部増幅器２５６、第３の帯域通過フィルタ（ＢＰＦ）２５８、第３の局部発振器４４および第４の局部発振器４６から構成される。
なお、図１０においては、第３の増幅ユニット５０の構成部分の内、第２の増幅ユニット４２（図７）の構成部分と実質的に同じものには、同じ符号が付されている。
つまり、第３の増幅ユニット５０は、図７に示した第２の増幅ユニット４２のＢＰＦ２４８をＢＰＦ５００に置換した構成をとる。
【００６５】
図１１は、第３の増幅ユニット５０が出力する信号を模式的に示す図である。
図１１に示すように、ＢＰＦ５００が中間周波数において略１つのチャネルの周波数範囲の信号のみを通過させるように急峻な周波数特性を有する場合、第３の増幅ユニット５０から出力されるチャネルの信号は、他のチャネルの信号を妨害しない。
一方、ＢＰＦ５００は、ＢＰＦ２４８よりも価格が高価になることがある。
【００６６】
図１２は、第３の増幅システム５が出力する信号を模式的に示す図であって、（Ａ）は、隣接して伝送される複数のチャネル（▲１▼ｃｈ〜▲５▼ｃｈ）の信号を示す図であり、（Ｂ）は、第２の増幅ユニット４２−２〜４２−４が出力する信号であり、（Ｃ）は、第３の増幅ユニット５０−１，５０−２が出力する信号であり、（Ｄ）は、第３の増幅システム５の混合器２６が出力する信号を示す図である。
【００６７】
図１２に示したように、第３の増幅ユニット５０−１，５０−２の２つのみが図１１に示した急峻な周波数特性を有し、第２の増幅ユニット４２−２〜４２−４が図４に示した緩やかな周波数特性を有するようにすると、第３の増幅システム５は、該第３の増幅システム５内で伝送されるチャネルの信号を、他の第３の増幅システム５などで伝送されるチャネルの信号の帯域に出力することなく、かつ、第３の増幅システム５内で伝送されるそれぞれのチャネルの信号を、互いに妨害することなく、レベルを調整し、伝送することができる。
また、第３の増幅システム５は、第２の増幅ユニット４２−２〜４２−４により、▲２▼ｃｈ〜▲４▼ｃｈの信号を増幅しているので、すべてのチャネルを第３の増幅ユニット５０によって増幅するよりも安価に構成されることができる。
【００６８】
以上説明したように、地上デジタル放送受信システム１は、第２の増幅システム４または第３の増幅システム５により、それぞれのチャネルの信号が基準周波信号に同期するようにしたので、ＢＰＦ２４８の周波数特性が緩やかな場合にも、第２の増幅システム４または第３の増幅システム５内で伝送されるそれぞれのチャネルの信号を、互いに妨害することなく、レベルを調整して伝送し、出力することができる。
また、第２の増幅システム４または第３の増幅システム５が伝送信号を出力する各チャネルは、それぞれ第２の増幅システム４または第３の増幅システム５が伝送信号を受信したチャネルであってもよい。
また、第２の増幅ユニット４２における中間周波数の値を同一にし、第１の可変増幅器２４６、ＢＰＦ２４８、第２の可変増幅器２５０およびＡＧＣ２５２を標準化するようにしてもよい。
なお、第２の増幅システム４または第３の増幅システム５は、放送を中継する中継増幅器などに適用されてもよい。
【００６９】
【発明の効果】
以上説明したように、本発明にかかる増幅システムによれば、周波数が異なる複数の伝送信号を容易に増幅することができる。
【図面の簡単な説明】
【図１】本発明の背景の説明のために例示する地上デジタル放送受信システムの構成を示す図である。
【図２】図１に示した第１の増幅システムの構成を示す図である。
【図３】第１の増幅ユニットの構成を示す図である。
【図４】第１の増幅ユニットが出力する信号を模式的に示す図である。
【図５】第１の増幅システムが出力する信号を模式的に例示する図であって、（Ａ）は、隣接して伝送される複数のチャネル（▲２▼ｃｈ，▲３▼ｃｈ，▲４▼ｃｈ）の信号を示す図であり、（Ｂ）は、第１の増幅ユニット２４−２が出力する信号であり、（Ｃ）は、第１の増幅ユニット２４−３が出力する信号であり、（Ｄ）は、第１の増幅ユニット２４−４が出力する信号であり、（Ｅ）は、混合器が出力する信号を示す図である。
【図６】本発明にかかる第２の増幅システムの構成を示す図である。
【図７】第２の増幅ユニットの構成を示す図である。
【図８】第２の増幅システムが出力する信号を模式的に示す図であって、（Ａ）は、隣接して伝送される複数のチャネル（▲１▼ｃｈ〜▲５▼ｃｈ）の信号を示す図であり、（Ｂ）は、第２の増幅ユニット４２−１が出力する信号であり、（Ｃ）は、第２の増幅ユニット４２−２が出力する信号であり、（Ｄ）は、第２の増幅ユニット４２−３が出力する信号であり、（Ｅ）は、第２の増幅ユニット４２−４が出力する信号であり、（Ｆ）は、第２の増幅ユニット４２−５が出力する信号であり、（Ｇ）は、第２の増幅システムの混合器が出力する信号を示す図である。
【図９】本発明にかかる第３の増幅システムの構成を示す図である。
【図１０】本発明にかかる第３の増幅ユニットの構成を示す図である。
【図１１】第３の増幅ユニットが出力する信号を模式的に示す図である。
【図１２】第３の増幅システム５が出力する信号を模式的に示す図であって、（Ａ）は、隣接して伝送される複数のチャネル（▲１▼ｃｈ〜▲５▼ｃｈ）の信号を示す図であり、（Ｂ）は、第２の増幅ユニット４２−２〜４２−４が出力する信号であり、（Ｃ）は、第３の増幅ユニット５０−１，５０−２が出力する信号であり、（Ｄ）は、第３の増幅システム５の混合器２６が出力する信号を示す図である。
【符号の説明】
１・・・地上デジタル放送受信システム
１０・・・受信点設備
１００・・・第１のアンテナ
１０２・・・第２のアンテナ
１０４・・・第３のアンテナ
１２・・・ヘッドエンド設備
１４−１〜１４−１２・・・デジタルテレビ
２・・・第１の増幅システム
２０・・・第１の増幅器
２２・・・分配器
２４−１〜２４−５・・・第１の増幅ユニット
２４０・・・第１の帯域通過フィルタ（ＢＰＦ）
２４２・・・第１の内部増幅器
２４４・・・第１の混合器
２４６・・・第１の可変増幅器
２４８・・・第２の帯域通過フィルタ（ＢＰＦ）
２５０・・・第２の可変増幅器
２５２・・・ＡＧＣ
２５４・・・第２の混合器
２５６・・・第２の内部増幅器
２５８・・・第３の帯域通過フィルタ（ＢＰＦ）
２６・・・混合器
２８・・・第２の増幅器
３０・・・第１の局部発振器
３２・・・第２の局部発振器
３００，３２０・・・ＰＬＬ
４・・・第２の増幅システム
４０・・・基準周波信号発生器
４２−１〜４２−５・・・第２の増幅ユニット
４４・・・第３の局部発振器
４６・・・第４の局部発振器
５・・・第３の増幅システム
５００・・・第４の帯域通過フィルタ（ＢＰＦ）
【図１】
2005039426.tif 000003
【図２】
2005039426.tif 000004
【図３】
2005039426.tif 000005
【図４】
2005039426.tif 000006
【図５】
2005039426.tif 000007
【図６】
2005039426.tif 000008
【図７】
2005039426.tif 000009
【図８】
2005039426.tif 000010
【図９】
2005039426.tif 000011
【図１０】
2005039426.tif 000012
【図１１】
2005039426.tif 000013
【図１２】
2005039426.tif 000014